(57)【要約】【課題】溝路の側壁への固定を確実に行うことができるとともに、施工後において溝路内に清掃時の障害物が残留しない溝蓋受枠の固定装置を提供する。【解決手段】溝蓋受枠４，４から、溝路１の側壁外面１０との間に所定の間隙を生ずるようにして下方に垂設された複数の外側支持部材１１と、各外側支持部材１１に対応する位置で、前記溝蓋受枠４，４から、溝路１の側壁内面１２との間に所定の間隙を生ずるようにして下方に垂設されて前記各外側支持部材１１と一対を成す複数の内側支持部材１３と、各一対の外側支持部材１１と内側支持部材１３とに夫々進退可能に螺合されて対向状に配設され、その螺進作用を介して先端が溝路１の側壁３に圧接される一対の螺子杆１４，１４とを備えた構成とした。これにより、先端が側壁３の内外両面１０，１２に圧接する両側の螺子杆１４，１４による挟持作用を介して、各溝蓋受枠４，４を側壁３，３上に確実に固定することができる。【選択図】図１
2008163684.tif 000002
【特許請求の範囲】
【請求項１】
溝蓋の側縁を支持する水平縁部と、該水平縁部の外端から溝蓋の側面に沿って立ち上がる垂直縁部とを備え、溝路を構成する左右の側壁上に、該溝路の長手方向に沿って左右一対で配設される溝蓋受枠を、前記側壁に固定するための固定装置であって、
前記溝蓋受枠から、溝路の側壁外面との間に所定の間隙を生ずるようにして下方に垂設された複数の外側支持部材と、
前記各外側支持部材に対応する位置で、前記溝蓋受枠から、溝路の側壁内面との間に所定の間隙を生ずるようにして下方に垂設されて前記各外側支持部材と一対を成す複数の内側支持部材と、
前記各一対の外側支持部材と内側支持部材とに夫々進退可能に螺合されて対向状に配設され、その螺進作用を介して先端が溝路の側壁に圧接される一対の螺子杆と
を備えてなることを特徴とする溝蓋受枠の固定装置。
【請求項２】
左右の溝蓋受枠の両垂直縁部の内側面に両端が分離可能に接合されて両垂直縁部の間隔を規定する複数の幅決め杆を備えていることを特徴とする請求項１記載の溝蓋受枠の固定装置。
【請求項３】
溝蓋受枠の水平縁部の下面に断面伏コ字形の固定部材が接合され、該固定部材の外側垂設片部を外側支持部材とし、内側垂設片部を内側支持部材としたことを特徴とする請求項１または請求項２記載の溝蓋受枠の固定装置。
【発明の詳細な説明】
【技術分野】
【０００１】
本発明は、Ｕ字溝等の溝路上に被着されるカラー舗装用溝蓋やグレーチング溝蓋等の溝蓋を支持する溝蓋受枠を、溝路の左右側壁上に固定するための溝蓋受枠の固定装置に関する。
【背景技術】
【０００２】
Ｕ字溝等の溝路を構成する左右の側壁上に夫々配設されて溝蓋の側縁を支持する断面Ｌ形の溝蓋受枠を、前記側壁に固定するための固定装置が知られている。かかる固定装置は、図８に示すように、溝蓋受枠ａ，ａの各水平縁部ｂ，ｂの下面に接合されて、該溝蓋受枠ａ，ａの長手方向に所定間隔で配設される左右一対の固定部材ｃ，ｃを備えている。該固定部材ｃ，ｃは断面伏コ字形に形成されており、その外側垂設片部ｄ，ｄには螺子杆ｅ，ｅが螺装される一方、内側垂設片部ｆ，ｆには左右の固定部材ｃ，ｃを連結して該固定部材ｃ，ｃの間隔を規定する幅決め杆ｇが夫々差し渡されている。
【０００３】
そして、このような構成からなる固定装置は、溝路ｈを構成する左右の側壁ｊ，ｊの上部に各固定部材ｃ，ｃを夫々外嵌した状態で、螺子杆ｅ，ｅを締め付け方向に螺回して、その先端を側壁ｊ，ｊの外面に圧接させ、幅決め杆ｇによって相互間隔が規定された左右の固定部材ｃ，ｃを夫々外側方へ引張して移動不能に保持することによって、該固定部材ｃ，ｃを介して溝蓋受枠ａ，ａを側壁ｊ，ｊに固定し得るようになっている。
【発明の開示】
【発明が解決しようとする課題】
【０００４】
ところで、従来の固定装置にあっては、固定部材ｃ，ｃの内側垂設片部ｆ，ｆに差し渡された幅決め杆ｇによって螺子杆ｅ，ｅの締め付け力に対する抗力を生じさせ、これによって左右の固定部材ｃ，ｃを移動不能に保持するようにしていることにより、施工後にあっても各幅決め杆ｇを取り外すことができない。従って、施工後においても複数の幅決め杆ｇが所定間隔で溝路ｈを横断する状態で溝路ｈ内に残留しているため、溝路ｈの清掃時に、該幅決め杆ｇが障害物となって清掃がし難いという問題点があった。
【０００５】
本発明は、かかる問題点を解消するものであって、溝路の側壁への固定を確実に行うことができるとともに、施工後において溝路内に清掃時の障害物が残留しない溝蓋受枠の固定装置を提供することを目的とするものである。
【課題を解決するための手段】
【０００６】
本発明は、溝蓋の側縁を支持する水平縁部と、該水平縁部の外端から溝蓋の側面に沿って立ち上がる垂直縁部とを備え、溝路を構成する左右の側壁上に、該溝路の長手方向に沿って左右一対で配設される溝蓋受枠を、前記側壁に固定するための固定装置であって、前記溝蓋受枠から、溝路の側壁外面との間に所定の間隙を生ずるようにして下方に垂設された複数の外側支持部材と、該各外側支持部材に対応する位置で、前記溝蓋受枠から、溝路の側壁内面との間に所定の間隙を生ずるようにして下方に垂設されて前記各外側支持部材と一対を成す複数の内側支持部材と、各一対の外側支持部材と内側支持部材とに夫々進退可能に螺合されて対向状に配設され、その螺進作用を介して先端が溝路の側壁に圧接される一対の螺子杆とを備えてなることを特徴とする溝蓋受枠の固定装置である。
【０００７】
ここで、溝蓋受枠の素材としては鉄鋼，ステンレス鋼等の金属からなる帯板材が好適に用いられ、外側支持部材と内側支持部材には溝蓋受枠との溶接性に優れた鉄鋼，ステンレス鋼等の金属からなる帯板材が用いられ得る。このように外側支持部材と内側支持部材を、溝蓋受枠との溶接性に優れた金属とすることにより、溝蓋受枠に対して外側支持部材と内側支持部材を溶接によって高い強度で容易に接合することができる。また、外側支持部材と内側支持部材とに配設される螺子杆は、外側支持部材と内側支持部材を構成する帯板材に形成された水平方向の螺子孔に螺合して配設され得る。
【０００８】
上記固定装置にあって、左右の溝蓋受枠の両垂直縁部の内側面に両端が分離可能に接合されて両垂直縁部の間隔を規定する複数の幅決め杆を備えている構成が提案される。
【０００９】
ここで、幅決め杆は施工後に除去されるものであって、溝蓋受枠との溶接性に優れた鉄鋼，ステンレス鋼等の金属からなる杆材が素材に用いられ、その端部の一部のみを垂直縁部の内側面に溶接することにより、分離可能に接合され得る。また、該幅決め杆は、施工後に溝蓋受枠の水平縁部によって側縁が支持されて溝路上に被着される溝蓋の、その横幅に対応する長さ寸法に設定されており、これによって両垂直縁部の間隔が溝蓋の横幅に対応した所定間隔に規定されることとなる。
【００１０】
また、前記溝蓋受枠の水平縁部の下面に断面伏コ字形の固定部材が接合され、該固定部材の外側垂設片部を外側支持部材とし、内側垂設片部を内側支持部材とした構成が提案される。
【００１１】
ここで、固定部材は、一枚の鉄鋼，ステンレス鋼等の金属からなる帯板材を断面コ字形に曲成したものが用いられ得る。
【発明の効果】
【００１２】
本発明は、上述したように、溝路を構成する左右の側壁上に、該溝路の長手方向に沿って左右一対で配設される溝蓋受枠にあって、該溝蓋受枠から、溝路の側壁外面との間に所定の間隙を生ずるようにして下方に垂設された複数の外側支持部材と、該各外側支持部材に対応する位置で、前記溝蓋受枠から、溝路の側壁内面との間に所定の間隙を生ずるようにして下方に垂設されて前記各外側支持部材と一対を成す複数の内側支持部材と、各一対の外側支持部材と内側支持部材とに夫々進退可能に螺合されて対向状に配設され、その螺進作用を介して先端が溝路の側壁に圧接される一対の螺子杆とを備えた溝蓋受枠の固定装置であるから、左右の溝蓋受枠を、溝路を構成する左右の側壁上に夫々乗載し、各溝蓋受枠から垂設された複数の外側支持部材と内側支持部材を側壁の内外両面に対向させた状態で、各外側支持部材と内側支持部材とに螺合されている螺子杆を夫々締め付け方向に螺回して、その先端を側壁の外面及び内面に夫々圧接させることにより、側壁の内外両面に圧接する両側の螺子杆による挟持作用を介して、各溝蓋受枠を側壁上に確実に固定することができる。この時、左右の溝蓋受枠は、溝路を構成する左右の側壁上に夫々単独で固定されることとなるため、予めメジャー或いは所定長さを有する棒状の治具を用いて、左右の溝蓋受枠の両垂直縁部の間隔を設定した状態で、各螺子杆の螺回操作を行うことにより、その後に被着される溝蓋の横幅に対応する両垂直縁部の適正な相互間隔で、両溝蓋受枠を左右の側壁上に夫々単独で固定することができる。そして、このように、側壁の内外両面に圧接する両側の螺子杆による挟持作用を介して、各溝蓋受枠を側壁上に確実に固定することができるので、従来のように、幅決め杆ｇ（図８参照）が所定間隔で溝路を横断する状態で溝路内に残留することがなく、溝路の清掃時に、該幅決め杆ｇが障害物となって清掃がし難いという問題点を解消することができる。
【００１３】
また、上記固定装置が、左右の溝蓋受枠の両垂直縁部の内側面に両端が分離可能に接合されて両垂直縁部の間隔を規定する複数の幅決め杆を備えている構成にあっては、複数の幅決め杆によって両垂直縁部の間隔が規定されていることにより、上記のように、予めメジャー或いは所定長さを有する棒状の治具を用いて、左右の溝蓋受枠の両垂直縁部の間隔を設定する必要がなく、該幅決め杆により一体化された左右の溝蓋受枠を左右の側壁上に夫々乗載した状態で各螺子杆の螺回操作を行うだけで、両溝蓋受枠を左右の側壁上に簡単に固定することができ、両垂直縁部の間隔を、その後に被着される溝蓋の横幅に対応する適正な相互間隔とすることができる。この幅決め杆は、施工後に除去することができるため、溝路の清掃時に障害物となることがない。
【００１４】
また、前記溝蓋受枠の水平縁部の下面に断面伏コ字形の固定部材が接合され、該固定部材の外側垂設片部を外側支持部材とし、内側垂設片部を内側支持部材とした構成にあっては、固定部材を一枚の帯板材の曲成によって断面コ字状に一体形成し得るので、外側支持部材と内側支持部材とを別体形成する場合に比して、部品点数が少なくなり、溶接時の手間も減るため、製造コストを低減させることができる。
【発明を実施するための最良の形態】
【００１５】
以下に、本発明にかかる溝蓋受枠の固定装置の第一実施例を、図１〜図５に基づいて説明する。
溝路１は、図１に示すように、断面略Ｕ字形に形成されたＵ字溝ブロック２を地盤の所定深さ位置に一列状に埋設して構築される。尚、このようなＵ字溝ブロック２を用いる施工に代えて、現場で組み付けた型枠へのコンクリートの打設により断面略Ｕ字形の溝路１を形成することも可能である。
【００１６】
前記溝路１を構成する左右の側壁３，３の上部には、左右一対の溝蓋受枠４，４が該溝路１の長手方向に沿って配設される。該溝蓋受枠４，４は、夫々溝蓋５の側縁を乗載して支持する水平縁部６と、該水平縁部６の外端から溝蓋５の側面に沿って立ち上がる垂直縁部７とを備えており、鉄鋼，ステンレス鋼等の金属からなる帯板材を断面Ｌ形に曲成した所定長さ（2000mm程度）のものが用いられている。この第一実施例における溝蓋受枠４，４は、比較的厚みが大きいカラー舗装用の溝蓋５を支持するものであって、前記垂直縁部７の高さ寸法が外側部に敷設されるカラー舗装用ブロック８の厚みより若干大きな寸法となっている。尚、溝蓋受枠４，４が比較的厚みが薄いグレーチングからなる溝蓋（図示省略）を支持するものである場合には、垂直縁部７の高さ寸法がグレーチングからなる溝蓋の厚みに一致するように形成される。
【００１７】
次に、本発明の要部にかかる固定装置について説明する。
固定装置は、図１に示すように、前記溝蓋受枠４，４を、前記側壁３，３に固定するためのものであって、前記溝蓋受枠４，４から、溝路１の側壁外面１０との間に所定の間隙を生ずるようにして下方に垂設された複数の外側支持部材１１と、各外側支持部材１１に対応する位置で、前記溝蓋受枠４，４から、溝路１の側壁内面１２との間に所定の間隙を生ずるようにして下方に垂設されて前記各外側支持部材１１と一対を成す複数の内側支持部材１３と、前記各一対の外側支持部材１１と内側支持部材１３とに夫々進退可能に螺合されて対向状に配設され、その螺進作用を介して先端が溝路１の側壁３，３に圧接される一対の螺子杆１４，１４とを備えている。
【００１８】
この第一実施例にあっては、図２に示すように、前記両溝蓋受枠４，４の水平縁部６，６の下面に溶接によって接合された断面伏コ字形の複数の固定部材１５ａが、図３（ａ），（ｂ）に示すように、溝蓋受枠４，４の長手方向に所定間隔で配設されている。そして、各固定部材１５ａの外側垂設片部１６ａによって前記外側支持部材１１が構成されており、また、各固定部材１５ａの内側垂設片部１６ｂによって前記内側支持部材１３が構成されている。各固定部材１５ａは、一枚の鉄鋼，ステンレス鋼等の金属からなる帯板材を断面コ字形に曲成したものであって、その外側垂設片部１６ａと内側垂設片部１６ｂの間隔が、図４に示すように、固定部材１５ａを溝路１の側壁３に上方から外嵌した状態で、溝路１の側壁外面１０と側壁内面１２との間に夫々所定の間隙ｓ，ｓを生ずる間隔となっている。ここで、溝路１を構成するＵ字溝ブロック２は、長さ600mm程度のものを端部で突き合わせて一列状に連結して構築されるのであるが、その施工時に前後で隣接するＵ字溝ブロック２，２相互が左右方向に僅かにずれる施工誤差が往々にして生じる。このため、各固定部材１５ａの外側垂設片部１６ａと内側垂設片部１６ｂの間隔を、上記のように溝路１の側壁外面１０と側壁内面１２との間に夫々所定の間隙ｓ，ｓを生ずる間隔に設定しておくことにより、その施工誤差に対応し得るものとなる。
【００１９】
前記各固定部材１５ａの外側垂設片部１６ａと内側垂設片部１６ｂには、図４に示すように、水平方向の螺子孔１７が左右で対向する位置に夫々形成されており、該螺子孔１７に螺子杆１４が夫々進退可能に螺合されている。該螺子杆１４は、締め付け方向の螺回により、その螺進作用を介して先端を溝路１の側壁３に圧接し得るように設けられている。
【００２０】
また、左右の溝蓋受枠４，４の両垂直縁部７，７間には、図２，図３（ａ）に示すように、両垂直縁部７，７の間隔を規定する複数の幅決め杆１８が、溝蓋受枠４，４の長手方向に所定間隔で配設されている。各幅決め杆１８は、鉄鋼，ステンレス鋼等の金属からなる帯板材で形成されており、両端が溝蓋受枠４，４の両垂直縁部７，７の内側面に分離可能に接合されている。即ち、各幅決め杆１８は施工後に除去されるものであるため、各幅決め杆１８の端部は、図５に示すように、垂直縁部７に対して直交状に当接させた状態で、その片側のみを溶接したビード部ｚを介して接合されており、プライヤ等の適宜の工具によって端部近傍を捻ることによって垂直縁部７から容易に分離できるようになっている。また、各幅決め杆１８は、溝蓋５の横幅に対応する長さ寸法に設定されており、これによって両垂直縁部７，７の間隔が溝蓋５の横幅に対応した所定間隔に規定されている。尚、各幅決め杆１８は、帯板材以外に、断面Ｌ形のアングル材や、断面円形或いは角形のパイプ材を用いることも可能である。
【００２１】
かかる構成にあって、図１に示すように、左右の溝蓋受枠４，４を、溝路１を構成する左右の側壁３，３上に夫々乗載し、各溝蓋受枠４，４から垂設された複数の外側支持部材１１と内側支持部材１３を側壁３の内外両面１０，１２に対向させた状態で、各外側支持部材１１と内側支持部材１３とに螺合されている螺子杆１４を夫々締め付け方向に螺回して、その先端を側壁３の外面１０及び内面１２に夫々圧接させることにより、側壁３の内外両面１０，１２に圧接する両側の螺子杆１４，１４による挟持作用を介して、各溝蓋受枠４，４を側壁３，３上に確実に固定することができる。この時、両垂直縁部７，７の間隔を規定する複数の幅決め杆１８によって左右の溝蓋受枠４，４が一体化されていることにより、左右の溝蓋受枠４，４を左右の側壁３，３上に夫々乗載した状態で各螺子杆１４の螺回操作を行うだけで、溝蓋５の横幅に対応する所定間隔で、両溝蓋受枠４，４を簡単に固定することができる。そして、この幅決め杆１８を、施工後に除去することにより、従来のように、複数の幅決め杆ｇ（図８参照）が溝路１を横断する状態で溝路１内に残留することがないため、その後における溝路１の清掃作業を楽に行うことができる。
【００２２】
また、一枚の帯板材の曲成によって断面コ字状に一体形成した各固定部材１５ａを、溝蓋受枠４，４の水平縁部６，６の下面に溶接によって接合して、該固定部材１５ａの外側垂設片部１６ａを外側支持部材１１とし、内側垂設片部１６ｂを内側支持部材１３としたので、後述する第二実施例及び第三実施例のように、外側支持部材１１と内側支持部材１３とを別体形成する場合に比して、部品点数が少なくなり、溶接時の手間も減るため、製造コストを低減させることができる。
【００２３】
尚、上記実施例にあっては、左右の溝蓋受枠４，４を、施工後に分離可能な複数の幅決め杆１８によって一体化したものについて説明したが、該幅決め杆１８を始めから設けないようにすることも可能であり、このように幅決め杆１８を無くした場合には、左右の溝蓋受枠４，４が、溝路１を構成する左右の側壁３，３上に夫々単独で固定されることとなるため、予めメジャー或いは所定長さを有する棒状の治具を用いて、左右の溝蓋受枠４，４の両垂直縁部７，７の間隔を設定した状態で、各螺子杆１４の螺回操作を行うことにより、その後に被着される溝蓋５の横幅に対応する両垂直縁部７，７の適正な相互間隔で、両溝蓋受枠４，４を左右の側壁３，３上に夫々単独で固定することができる。そして、このように、幅決め杆１８を無くすことにより、製造が簡単になるとともに、溝蓋受枠４，４が嵩張らないため、梱包及び輸送時の取扱い性が向上する。
【００２４】
図６は、第二実施例を示し、この第二実施例は、夫々断面倒Ｌ形の固定部材１５ｂ，１５ｂを各溝蓋受枠４の水平縁部６の下面に溶接によって対向状に接合することにより、該固定部材１５ｂ，１５ｂの垂設片部１６ｃ，１６ｃによって前記外側支持部材１１と内側支持部材１３とを構成したものである。その他、第一実施例と同じ構成部分には、第一実施例と同じ符号を付して重複する説明を省略する。かかる構成にあっても、上述した第一実施例のものと同様の作用効果を得ることができる。
【００２５】
図７は、第三実施例を示し、この第三実施例は、帯板片からなる固定部材１５ｃの上端部を各溝蓋受枠４の垂直縁部７の外側面に溶接によって接合して下方に垂設するとともに、該固定部材１５ｃに対応する位置で、断面倒Ｌ形の固定部材１５ｂを各溝蓋受枠４の水平縁部６の下面に溶接によって接合することにより、固定部材１５ｃを前記外側支持部材１１とし、固定部材１５ｂの垂設片部１６ｃを前記内側支持部材１３としたものである。その他、第一実施例と同じ構成部分には、第一実施例と同じ符号を付して重複する説明を省略する。かかる構成にあっても、上述した第一実施例のものと同様の作用効果を得ることができる。
【図面の簡単な説明】
【００２６】
【図１】第一実施例にかかる固定装置を備えた溝蓋受枠４の施工状態を示す縦断正面図である。
【図２】同上の固定装置を備えた溝蓋受枠４の正面図である。
【図３】（ａ）は同上の固定装置を備えた溝蓋受枠４の平面図、（ｂ）はその側面図である。
【図４】同上の固定装置を備えた溝蓋受枠４の要部の拡大正面図である。
【図５】垂直縁部７に対する幅決め杆１８の端部の溶接方法を示す説明図である。
【図６】第二実施例にかかる固定装置を備えた溝蓋受枠４の要部の拡大正面図である。
【図７】第三実施例にかかる固定装置を備えた溝蓋受枠４の要部の拡大正面図である。
【図８】従来の固定装置を備えた溝蓋受枠ａの施工状態を示す縦断正面図である。
【符号の説明】
【００２７】
１  溝路
３  側壁
４  溝蓋受枠
５  溝蓋
６  水平縁部
７  垂直縁部
１０  側壁外面
１２  側壁内面
１１  外側支持部材
１３  内側支持部材
１４  螺子杆
１５ｂ，１５ｂ，１５ｃ  固定部材
１６ａ  外側垂設片部
１６ｂ  内側垂設片部
１８  幅決め杆
ｓ  間隙
【図１】
2008163684.tif 000003
【図２】
2008163684.tif 000004
【図３】
2008163684.tif 000005
【図４】
2008163684.tif 000006
【図５】
2008163684.tif 000007
【図６】
2008163684.tif 000008
【図７】
2008163684.tif 000009
【図８】
2008163684.tif 000010